(57)【要約】【課題】電極アセンブリがケースに円滑に挿入される二次電池を提供する。【解決手段】電極アセンブリと、前記電極アセンブリが収容されるケースと、前記ケースの開口に結合されるキャッププレートと、前記キャッププレートに設けられる電極端子と、前記電極アセンブリを前記電極端子に電気的に連結させるリードタブと、前記ケースの内部に設けられ、前記リードタブに結合され、前記リードタブと前記ケースとの間に位置するリテーナとを含み、前記リテーナは、前記電極アセンブリに隣接するように前記電極アセンブリに向かって傾斜し、前記キャッププレートから遠くなる方向に延びる挿入誘導部を含むことを特徴とする、二次電池。【選択図】図２
2015005505.tif 000002
【特許請求の範囲】
【請求項１】
電極アセンブリと、
前記電極アセンブリが収容されるケースと、
前記ケースの開口に結合されるキャッププレートと、
前記キャッププレートに設けられる電極端子と、
前記電極アセンブリを前記電極端子に電気的に連結させるリードタブと、
前記ケースの内部に設けられ、前記リードタブに結合され、前記リードタブと前記ケースとの間に位置するリテーナとを含み、
前記リテーナは、前記電極アセンブリに隣接するように前記電極アセンブリに向かって傾斜し、前記キャッププレートから遠くなる方向に延びる挿入誘導部を含むことを特徴とする、二次電池。
【請求項２】
前記挿入誘導部は、前記電極アセンブリと前記ケースとの間において、前記電極アセンブリに隣接するように前記電極アセンブリに向かって傾斜する傾斜面を含むことを特徴とする、請求項１に記載の二次電池。
【請求項３】
前記リテーナは、
前記電極アセンブリの一端と向き合う第１側面と、
前記第１側面の両側からそれぞれ突出形成される第２側面および第３側面とを含み、
前記リードタブの一部は、前記第２側面および前記第３側面の間に収容されることを特徴とする、請求項１または２に記載の二次電池。
【請求項４】
前記挿入誘導部は、前記キャッププレートから遠くなる方向に位置する前記第１側面の端に形成され、前記第２側面と前記第３側面との間に位置する前記リテーナの傾斜表面を含むことを特徴とする、請求項３に記載の二次電池。
【請求項５】
前記リードタブは、
前記電極端子に連結され、前記キャッププレートに平行に設けられる第１連結部と、
前記第１連結部から曲げられて形成され、前記電極アセンブリに連結される第２連結部とを含むことを特徴とする、請求項３または４に記載の二次電池。
【請求項６】
前記第２連結部は、前記電極アセンブリの端に位置した、前記電極アセンブリの両側に結合される一対の連結部材を含むことを特徴とする、請求項５に記載の二次電池。
【請求項７】
前記リテーナは、
前記電極アセンブリと向き合う前記第１側面の一面から突出する補強部を含むことを特徴とする、請求項６に記載の二次電池。
【請求項８】
前記補強部は、前記一対の連結部材の間に位置することを特徴とする、請求項７に記載の二次電池。
【請求項９】
前記補強部は、前記リードタブと接触することを特徴とする、請求項７または８に記載の二次電池。
【請求項１０】
前記リテーナは、前記第２側面および前記第３側面の間において、前記第１側面から突出して形成される間隔吸収部をさらに含むことを特徴とする、請求項６〜９のいずれか一項に記載の二次電池。
【請求項１１】
前記間隔吸収部は、前記一対の連結部材の内側面それぞれに接触することを特徴とする、請求項１０に記載の二次電池。
【請求項１２】
前記間隔吸収部は、前記一対の連結部材に向かって突出して前記一対の連結部材と接触する支持突起を含むことを特徴とする、請求項１０または１１に記載の二次電池。
【請求項１３】
前記電極アセンブリの一部分は、前記一対の連結部材のうちの１つの連結部材と前記リテーナの前記第２側面との間に位置し、
前記電極アセンブリの一部分と離隔して位置した前記電極アセンブリの他の部分は、前記一対の連結部材のうちの前記１つの連結部材を除いた残りの連結部材と前記リテーナの第３側面との間に位置することを特徴とする、請求項６〜１２のいずれか一項に記載の二次電池。
【請求項１４】
前記第２連結部は、
前記リテーナの第１側面と向き合い、前記電極アセンブリの前記一端に結合されることを特徴とする、請求項５〜１３のいずれか一項に記載の二次電池。
【請求項１５】
前記リテーナは、前記第２側面および前記第３側面それぞれにおいて、前記第２側面および前記第３側面それぞれに向かって突出して形成される１つ以上の結合突起をさらに含むことを特徴とする、請求項３〜１４のいずれか一項に記載の二次電池。
【請求項１６】
前記結合突起は、前記リードタブの溝に収容されることを特徴とする、請求項１５に記載の二次電池。
【請求項１７】
前記結合突起は、前記リードタブと接触することを特徴とする、請求項１５または１６に記載の二次電池。
【請求項１８】
前記リテーナの前記第２側面および前記第３側面は、前記電極アセンブリの無地部の両側面を覆い、
前記リードタブの一部分は、前記電極アセンブリの前記無地部に固定されることを特徴とする、請求項３〜１７のいずれか一項に記載の二次電池。
【請求項１９】
前記リテーナは、電気絶縁物質を含むことを特徴とする、請求項１〜１８のいずれか一項に記載の二次電池。
【請求項２０】
前記リードタブは、
前記電極アセンブリの第１面に設けられる第１リードタブと、前記電極アセンブリの前記第１面と離隔して位置する前記電極アセンブリの第２面に設けられる第２リードタブとを含み、
前記リテーナは、
前記第１面に設けられ、前記第１リードタブと接触する第１リテーナと、前記第２面に設けられ、前記第２リードタブと接触する第２リテーナとを含むことを特徴とする、請求項１〜１９のいずれか一項に記載の二次電池。
【発明の詳細な説明】
【技術分野】
【０００１】
本発明は、電極アセンブリをケースに挿入する作業を容易にする二次電池に関するものである。
【背景技術】
【０００２】
二次電池（ｒｅｃｈａｒｇｅａｂｌｅ  ｂａｔｔｅｒｙ）は、一次電池とは異なり、充電および放電を繰り返し行う電池である。小容量の二次電池は、携帯電話やノートパソコンおよびビデオカメラのように携帯が可能な小型電子機器に用いられ、また、大容量の二次電池は、ハイブリッド自動車および電気自動車のモータ駆動用電源として用いられる。
【０００３】
例えば、二次電池は、充電および放電作用する電極アセンブリと、電極アセンブリと電解液を収容するケースと、ケースの開口に結合されるキャッププレートと、電極アセンブリを電極端子に電気的に連結するリードタブとを含む。
【発明の概要】
【発明が解決しようとする課題】
【０００４】
二次電池の組立は、リードタブを電極アセンブリに連結し、キャッププレートに設けられる電極端子にリードタブを連結して、電極アセンブリをケースに挿入する工程により行われる。この時、電極アセンブリがケースに円滑に挿入されないことがあり、また、電極アセンブリがケースの開口部分によって損傷する恐れがある。
【０００５】
そこで、本発明は、上記問題に鑑みてなされたものであり、本発明の目的とするところは、電極アセンブリがケースに円滑に挿入される二次電池を提供することにある。
【課題を解決するための手段】
【０００６】
上記課題を解決するために、本発明のある観点によれば、電極アセンブリと、前記電極アセンブリが収容されるケースと、前記ケースの開口に結合されるキャッププレートと、前記キャッププレートに設けられる電極端子と、前記電極アセンブリを前記電極端子に電気的に連結させるリードタブと、前記ケースの内部に設けられ、前記リードタブに結合され、前記リードタブと前記ケースとの間に位置するリテーナとを含み、前記リテーナは、前記電極アセンブリに隣接するように前記電極アセンブリに向かって傾斜し、前記キャッププレートから遠くなる方向に延びる挿入誘導部を含むことを特徴とする、二次電池が提供される。
【０００７】
前記挿入誘導部は、前記電極アセンブリと前記ケースとの間において、前記電極アセンブリに隣接するように前記電極アセンブリに向かって傾斜する傾斜面を含んでもよい。
【０００８】
前記リテーナは、前記電極アセンブリの一端と向き合う第１側面と、前記第１側面の両側からそれぞれ突出形成される第２側面および第３側面とを含み、前記リードタブの一部は、前記第２側面および前記第３側面の間に収容されてもよい。
【０００９】
前記挿入誘導部は、前記キャッププレートから遠くなる方向に位置する前記第１側面の端に形成され、前記第２側面と前記第３側面との間に位置する前記リテーナの傾斜表面を含んでもよい。
【００１０】
前記リードタブは、前記電極端子に連結され、前記キャッププレートに平行に設けられる第１連結部と、前記第１連結部から曲げられて形成され、前記電極アセンブリに連結される第２連結部とを含んでもよい。
【００１１】
前記第２連結部は、前記電極アセンブリの端に位置した、前記電極アセンブリの両側に結合される一対の連結部材を含んでもよい。
【００１２】
前記リテーナは、前記電極アセンブリと向き合う前記第１側面の一面から突出する補強部を含んでもよい。
【００１３】
前記補強部は、前記一対の連結部材の間に位置してもよい。
【００１４】
前記補強部は、前記リードタブと接触してもよい。
【００１５】
前記リテーナは、前記第２側面および前記第３側面の間において、前記第１側面から突出して形成される間隔吸収部をさらに含んでもよい。
【００１６】
前記間隔吸収部は、前記一対の連結部材の内側面それぞれに接触してもよい。
【００１７】
前記間隔吸収部は、前記一対の連結部材に向かって突出して前記一対の連結部材と接触する支持突起を含んでもよい。
【００１８】
前記電極アセンブリの一部分は、前記一対の連結部材のうちの１つの連結部材と前記リテーナの前記第２側面との間に位置し、前記電極アセンブリの一部分と離隔して位置した前記電極アセンブリの他の部分は、前記一対の連結部材のうちの前記１つの連結部材を除いた残りの連結部材と前記リテーナの第３側面との間に位置してもよい。
【００１９】
前記第２連結部は、前記リテーナの第１側面と向き合い、前記電極アセンブリの前記一端に結合されてもよい。
【００２０】
前記リテーナは、前記第２側面および前記第３側面それぞれにおいて、前記第２側面および前記第３側面それぞれに向かって突出して形成される１つ以上の結合突起をさらに含んでもよい。
【００２１】
前記結合突起は、前記リードタブの溝に収容されてもよい。
【００２２】
前記結合突起は、前記リードタブと接触してもよい。
【００２３】
前記リテーナの前記第２側面および前記第３側面は、前記電極アセンブリの無地部の両側面を覆い、前記リードタブの一部分は、前記電極アセンブリの前記無地部に固定されてもよい。
【００２４】
前記リテーナは、電気絶縁物質を含んでもよい。
【００２５】
前記リードタブは、前記電極アセンブリの第１面に設けられる第１リードタブと、前記電極アセンブリの前記第１面と離隔して位置する前記電極アセンブリの第２面に設けられる第２リードタブとを含み、前記リテーナは、前記第１面に設けられ、前記第１リードタブと接触する第１リテーナと、前記第２面に設けられ、前記第２リードタブと接触する第２リテーナとを含んでもよい。
【発明の効果】
【００２６】
以上説明したように本発明によれば、電極アセンブリに連結されるリードタブにリテーナを結合し、リテーナに傾斜した挿入誘導部を備えるため、挿入誘導部によって電極アセンブリをケースの開口に安全に挿入する効果がある。
【図面の簡単な説明】
【００２７】
【図１】本発明の第１実施形態にかかる二次電池の斜視図である。
【図２】図１のＩＩ−ＩＩ線に沿った断面図である。
【図３】図２のリードタブとリテーナの分解斜視図である。
【図４】図３のＩＶ−ＩＶ線に沿った断面図である。
【図５】本発明の第２実施形態にかかる二次電池においてリードタブとリテーナの分解斜視図である。
【図６】図５のＶＩ−ＶＩ線に沿った断面図である。
【図７】本発明の第３実施形態にかかる二次電池の断面図である。
【図８】図７のリードタブとリテーナの分解斜視図である。
【図９】図８のＩＸ−ＩＸ線に沿った断面図である。
【図１０】本発明の第４実施形態にかかる二次電池においてリードタブとリテーナの分解斜視図である。
【図１１】図１０のＸＩ−ＸＩ線に沿った断面図である。
【図１２】図１１のＸＩＩ−ＸＩＩ線に沿った断面図である。
【図１３】本発明の第５実施形態にかかる二次電池の断面図である。
【図１４】図１３のリードタブとリテーナの分解斜視図である。
【図１５】図１４のＸＶ−ＸＶ線に沿った断面図である。
【発明を実施するための形態】
【００２８】
以下、添付した図面を参照して、本発明の実施形態について、本発明の属する技術分野における通常の知識を有する者が容易に実施できるように詳細に説明する。なお、本発明は、様々な異なる形態で実現可能であり、ここで説明する実施形態に限定されない。また、図面において、本発明を明確に説明するために説明上不必要な部分を省略し、明細書全体にわたって同一または類似の構成要素については同一の参照符号を付した。
【００２９】
＜１．第１実施形態＞
図１は、本発明の第１実施形態にかかる二次電池１００の斜視図であり、図２は、図１のＩＩ−ＩＩ線に沿った断面図である。
【００３０】
図１および図２を参照すれば、第１実施形態にかかる二次電池１００は、電流を充電および放電する電極アセンブリ１０と、電極アセンブリ１０と電解液を内蔵するケース１５と、ケース１５の開口に結合されるキャッププレート２０と、キャッププレート２０の端子ホールＨ１、Ｈ２に設けられる電極端子２１、２２と、電極端子２１、２２を電極アセンブリ１０に連結するリードタブ５１、５２とを含む。また、二次電池１００は、ケース１５の内面に支持され、リードタブ５１、５２に結合されるリテーナ５３、５４をさらに含む。
【００３１】
例えば、電極アセンブリ１０は、絶縁体であるセパレータ１３の両面に電極（例えば、負極１１と正極１２）を配置し、負極１１、セパレータ１３、および正極１２をゼリーロール状に巻き取って形成される。
【００３２】
負極１１および正極１２はそれぞれ、金属板の集電体に活物質を塗布したコーティング部１１ａ、１２ａと、活物質を塗布せずに露出した集電体に形成される無地部１１ｂ、１２ｂとを含む。
【００３３】
負極１１の無地部１１ｂは、巻き取られる負極１１に沿って負極１１の一方の端部分に形成される。また、正極１２の無地部１２ｂは、巻き取られる正極１２に沿って正極１２の一方の端部分に形成される。そして、無地部１１ｂ、１２ｂは、電極アセンブリ１０の両端にそれぞれ配置される。
【００３４】
ケース１５は、電極アセンブリ１０を内部に収容する空間を設定するように略直方体からなる。ケース１５の開口は、直方体の一側に形成され、外部から内部空間に電極アセンブリ１０を挿入できるようにする。
【００３５】
キャッププレート２０は、ケース１５の開口に結合され、ケース１５を密閉する。例えば、ケース１５とキャッププレート２０は、アルミニウムで形成され、互いに溶接されるとよい。つまり、電極アセンブリ１０をケース１５に挿入した後、キャッププレート２０は、ケース１５の開口に溶接されるとよい。
【００３６】
また、キャッププレート２０は、１つ以上の開口を有し、例えば、端子ホールＨ１、Ｈ２およびベントホール２４を備える。電極端子２１、２２は、キャッププレート２０の端子ホールＨ１、Ｈ２にそれぞれ設けられ、電極アセンブリ１０に電気的に連結される。
【００３７】
つまり、電極端子２１、２２は、電極アセンブリ１０の負極１１および正極１２にそれぞれ電気的に連結される。したがって、電極アセンブリ１０は、電極端子２１、２２を介してケース１５の外部に引き出される。
【００３８】
電極端子２１、２２は、端子ホールＨ１、Ｈ２に対応してキャッププレート２０の外側に配置されるプレートターミナル２１ｃ、２２ｃと、電極アセンブリ１０に電気的に連結され、端子ホールＨ１、Ｈ２を貫通してプレートターミナル２１ｃ、２２ｃに締結されるリベットターミナル２１ａ、２２ａとを含む。
【００３９】
プレートターミナル２１ｃ、２２ｃは、貫通ホールＨ３、Ｈ４を有する。リベットターミナル２１ａ、２２ａは、上端に端子ホールＨ１、Ｈ２を貫通して貫通ホールＨ３、Ｈ４に挿入される。電極端子２１、２２は、キャッププレート２０の内側において、リベットターミナル２１ａ、２２ａに一体に広く形成されるフランジ２１ｂ、２２ｂをさらに含む。
【００４０】
負極１１に連結される電極端子２１側において、プレートターミナル２１ｃとキャッププレート２０との間に介在する絶縁部材３１は、プレートターミナル２１ｃとキャッププレート２０とを電気的に絶縁させる。つまり、キャッププレート２０は、電極アセンブリ１０および負極１１と絶縁された状態を維持する。
【００４１】
絶縁部材３１とプレートターミナル２１ｃをリベットターミナル２１ａの上端に結合して上端をリベッティングまたは溶接することにより、絶縁部材３１とプレートターミナル２１ｃは、リベットターミナル２１ａの上端に締結される。プレートターミナル２１ｃは、絶縁部材３１を介在させた状態でキャッププレート２０の外側に設けられる。
【００４２】
正極１２に連結される電極端子２２側において、プレートターミナル２２ｃとキャッププレート２０との間に介在する導電性のトッププレート４６は、プレートターミナル２２ｃとキャッププレート２０とを電気的に連結させる。つまり、キャッププレート２０は、電極アセンブリ１０および正極１２に電気的に連結された状態を維持する。
【００４３】
トッププレート４６とプレートターミナル２２ｃをリベットターミナル２２ａの上端に結合して上端をリベッティングまたは溶接することにより、トッププレート４６とプレートターミナル２２ｃは、リベットターミナル２２ａの上端に締結される。プレートターミナル２２ｃは、トッププレート４６を介在させた状態でキャッププレート２０の外側に設けられる。
【００４４】
ガスケット３６、３７は、電極端子２１、２２のリベットターミナル２１ａ、２２ａとキャッププレート２０の端子ホールＨ１、Ｈ２の内面との間にそれぞれ設けられ、リベットターミナル２１ａ、２２ａとキャッププレート２０との間をシーリングして電気的に絶縁する。
【００４５】
ガスケット３６、３７は、フランジ２１ｂ、２２ｂとキャッププレート２０の内面との間にさらに延長設置され、フランジ２１ｂ、２２ｂとキャッププレート２０との間をさらにシーリングして電気的に絶縁する。つまり、ガスケット３６、３７は、キャッププレート２０に電極端子２１、２２を設けることにより、端子ホールＨ１、Ｈ２を介して電解液が漏れる（ｌｅａｋ）ことを防止する。
【００４６】
リードタブ５１、５２は、電極端子２１、２２を電極アセンブリ１０の負極１１および正極１２にそれぞれ電気的に連結する。つまり、リードタブ５１、５２をリベットターミナル２１ａ、２２ａの下端に結合して下端をコーキング（ｃａｕｌｋｉｎｇ）することにより、リードタブ５１、５２は、フランジ２１ｂ、２２ｂに支持されながら、リベットターミナル２１ａ、２２ａの下端に連結される。
【００４７】
ここで、リードタブ５１、５２は、電極アセンブリ１０の負極１１の無地部１１ｂが位置する第１面に設けられる第１リードタブ５１と、第１面と離隔して位置する電極アセンブリ１０の正極１２の無地部１２ｂの第２面に設けられる第２リードタブ５２とを含む。
【００４８】
絶縁部材６１、６２は、リードタブ５１、５２とキャッププレート２０との間にそれぞれ設けられ、リードタブ５１、５２とキャッププレート２０とを電気的に絶縁させる。また、絶縁部材６１、６２は、一側にキャッププレート２０に結合され、他の一側にリードタブ５１、５２とリベットターミナル２１ａ、２２ａおよびフランジ２１ｂ、２２ｂを囲むため、これらの連結構造を安定させる。
【００４９】
ベントホール２４は、二次電池１００の内部圧力および発生したガスを排出できるようにベントプレート２５で密閉される。二次電池１００の内部圧力が設定圧力に達すると、ベントプレート２５が切開されてベントホール２４を開放する。ベントプレート２５は、切開を誘導する切欠２５ａを有する。
【００５０】
一方、リテーナ５３、５４は、リードタブ５１、５２に結合され、電極アセンブリ１０とケース１５との間に介在して、電極アセンブリ１０をケース１５から離隔させる。したがって、リテーナ５３、５４は、ケース１５を介して伝達される外部衝撃から電極アセンブリ１０を保護することができる。例えば、リテーナ５３、５４は、高い耐熱性および電気絶縁性を有する合成樹脂材または電気絶縁物質で形成されるとよい。
【００５１】
リテーナ５３、５４は、キャッププレート２０から遠くなる反対側に延び、かつ、電極アセンブリ１０に隣接するように傾斜した挿入誘導部６０を含む。挿入誘導部６０は、狭くなった側部を介してケース１５の開口との間に間隔を形成し、ケース１５の開口に電極アセンブリ１０の挿入を容易に誘導することができる。
【００５２】
また、リテーナ５３、５４は、電極アセンブリ１０の外郭でケース１５の開口に接触するため、リードタブ５１、５２および電極アセンブリ１０の端部分がケース１５の開口に接触することを防止する。つまり、ケース１５の開口による電極アセンブリ１０の損傷が防止される。
【００５３】
さらに、リテーナ５３、５４は、電極アセンブリ１０の負極１１の無地部１１ｂが位置する第１面に設けられ、第１リードタブ５１と接触する第１リテーナ５３と、電極アセンブリ１０の正極１２の無地部１２ｂが位置する第２面に設けられ、第２リードタブ５２と接触する第２リテーナ５４とを含む。
【００５４】
第１実施形態において、リードタブ５１、５２が互いに同一構造に形成され、リテーナ５３、５４が互いに同一構造に形成される。そこで、以下では説明を簡略化させるため、電極アセンブリ１０の負極１１に連結されるリードタブ５１と、リードタブ５１に結合されるリテーナ５３を例として説明する。
【００５５】
図３は、図２のリードタブ５１とリテーナ５３の分解斜視図であり、図４は、図３のＩＶ−ＩＶ線に沿った断面図である。図３および図４を参照すれば、リードタブ５１は、キャッププレート２０と平行な部分で電極端子２１に連結され、キャッププレート２０に交差する方向に折曲される第１連結部５１１と、第１連結部５１１から分枝され、電極アセンブリ１０の無地部１１ｂの側面に面接触で溶接される１つまたは複数の第２連結部５１２とを含む。
【００５６】
第１連結部５１１は、平行な部分に貫通口７３、７４を備え、リベットターミナル２１ａの下端およびフランジ２１ｂの下側突起２１ｄに結合される。なお、図示していないが、セルヒューズは、第１連結部において周囲より狭い面積に形成され、周囲より高い電気抵抗を有することができる。
【００５７】
第２連結部５１２は、電極アセンブリ１０の端に位置した、電極アセンブリ１０の両側に結合される一対の連結部材を含む。
【００５８】
リテーナ５３は、電極アセンブリ１０の一端に位置した無地部１１ｂの端面に向き合う方向（ｘ軸方向）でリードタブ５１の側面を覆う第１側面５３１と、第１側面５３１の両側から突出形成される第２側面５３２および第３側面５３３とを含む。
【００５９】
ここで、本実施形態によれば、電極アセンブリ１０の一部分は、一対の連結部材のうちの１つの連結部材とリテーナ５３の第２側面５３２との間に位置することができ、電極アセンブリ１０の一部分と離隔して位置した電極アセンブリ１０の他の部分は、一対の連結部材のうちの１つの連結部材を除いた残りの連結部材とリテーナ５３の第３側面５３３との間に位置することができる。
【００６０】
また、第２連結部５１２は、リテーナ５３の第１側面５３１と向き合い、電極アセンブリ１０の一端に結合されるとよい。
【００６１】
この時、リードタブ５１の一部は、第２側面５３２と第３側面５３３との間に収容されるとよい。
【００６２】
第２側面５３２と第３側面５３３は、リードタブ５１の端面を経由して内面に結合されるとよい。
【００６３】
また、第２側面５３２および第３側面５３３は、電極アセンブリ１０の無地部１１ｂの両側面を覆い、リードタブ５１の一部分は、電極アセンブリ１０の無地部１１ｂに固定されるとよい。
【００６４】
つまり、リテーナ５３は、リードタブ５１に向かって凹状に形成され、リードタブ５１を収容する。第１側面５３１は、リードタブ５１の、第１連結部５１１における広い面積の側面および第２連結部５１２における狭い面積の端面を覆う。そして、第２側面５３２および第３側面５３３は、リードタブ５１の、第１連結部５１１における狭い面積の端面および第２連結部５１２における広い面積の側面を覆う。
【００６５】
挿入誘導部６０は、電極アセンブリ１０側に傾斜して形成される第２側面５３２および第３側面５３３に、第１側面５３１を傾斜して連結して形成される。つまり、図３および図４において、第１側面５３１は、上部から下端部にいくにつれ、電極アセンブリ１０側に次第に隣接する。
【００６６】
したがって、本実施形態によれば、挿入誘導部６０は、電極アセンブリ１０とケース１５との間において、電極アセンブリ１０に隣接するように電極アセンブリ１０に向かって傾斜する傾斜面を含むことができる。
【００６７】
ここで、挿入誘導部６０の傾斜面は、ケース１５の内壁から遠くなり、ケース１５の内部に向かって傾斜するため、ケース１５の内壁と傾斜面との間の間隔は、キャッププレート２０の反対側に位置した挿入誘導部６０の一端にいくほど大きくなる。
【００６８】
また、挿入誘導部６０は、キャッププレート２０から遠くなる方向に位置する第１側面５３１の端に形成され、第２側面５３２と第３側面５３３との間に位置するリテーナ５３の傾斜表面を含むことができる。
【００６９】
本実施形態によれば、ケース１５に電極アセンブリ１０を挿入する時、挿入誘導部６０によってリテーナ５３とケース１５の開口との間に間隔が設定される。この間隔は、ケース１５の開口への、電極アセンブリ１０の挿入を容易にする。
【００７０】
また、挿入誘導部６０に囲まれたリードタブ５１および電極アセンブリ１０は、ケース１５の開口と接触しない。したがって、組立時、電極アセンブリ１０の損傷が防止可能になる。
【００７１】
第２側面５３２および第３側面５３３は、互いに向き合う内面に結合突起５３４、５３５を備える。結合突起５３４、５３５は、リードタブ５１の第１連結部５１１の端面を経由して内面に係止されることにより、リテーナ５３を第１連結部５１１に固定させる。この時、第２側面５３２および第３側面５３３は、第１連結部５１１の端面を覆い、同時に第２連結部５１２の側面を覆う。
【００７２】
第１側面５３１は、電極アセンブリ１０と向き合う第１側面５３１の一面から突出し、周囲の厚さよりも厚く形成される補強部５３６を備える。第１側面５３１が第１連結部５１１の側面および第２連結部５１２の端面を覆う時、補強部５３６は、第２連結部５１２の間に挿入されてリードタブ５１と接触し、結合突起５３４、５３５は、第１連結部５１１の内面に密着する。つまり、リードタブ５１とリテーナ５３は、強固な結合状態を維持することができる。
【００７３】
以下、本発明の多様な実施形態について説明する。なお、第１実施形態および既に説明された実施形態と同一の構成の説明は省略し、互いに異なる構成について説明する。
【００７４】
＜２．第２実施形態＞
図５は、本発明の第２実施形態にかかる二次電池においてリードタブ７１とリテーナ５３の分解斜視図であり、図６は、図５のＶＩ−ＶＩ線に沿った断面図である。
【００７５】
リードタブ７１は、キャッププレート２０と平行な部分で電極端子２１に連結される第１連結部７１１と、第１連結部７１１からキャッププレート２０に交差する方向に折曲され、電極アセンブリ１０の無地部１１ｂの端面に面接触で溶接される第２連結部７１２とを含む。
【００７６】
リテーナ５３は、電極アセンブリ１０の端面に向き合う方向（ｘ軸方向）でリードタブ７１における広い面積の側面を覆う第１側面５３１と、第１側面５３１の両側から突出形成され、リードタブ７１における狭い面積の端面を経由して内面に結合される第２側面５３２および第３側面５３３とを含む。
【００７７】
つまり、リテーナ５３は、リードタブ７１に向かって凹状に形成され、リードタブ７１を収容する。第１側面５３１は、リードタブ７１の、第２連結部７１２における広い面積の側面を覆う。そして、第２側面５３２および第３側面５３３は、リードタブ７１の、第２連結部７１２における狭い面積の端面を覆う。
【００７８】
結合突起５３４、５３５は、リードタブ７１の第２連結部７１２の端面を経由して内面に係止されることにより、リテーナ５３を第２連結部７１２に固定させる。この時、第２側面５３２および第３側面５３３は、第２連結部７１２の端面を覆う。
【００７９】
第１側面５３１は、内面に周囲の厚さよりも厚く形成される補強部５３６を備える。第１側面５３１が第２連結部７１２の側面を覆う時、補強部５３６は、第２連結部７１２の側面に密着し、結合突起５３４、５３５は、第２連結部７１２の内面に密着する。つまり、リードタブ７１とリテーナ５３は、強固な結合状態を維持することができる。
【００８０】
＜３．第３実施形態＞
図７は、本発明の第３実施形態にかかる二次電池３００の断面図であり、図８は、図７のリードタブ５１とリテーナ５５の分解斜視図であり、図９は、図８のＩＸ−ＩＸ線に沿った断面図である。
【００８１】
図７ないし図９を参照すれば、第３実施形態にかかる二次電池３００において、リテーナ５５、５６は、電極アセンブリ１０の端面に向き合う方向（ｘ軸方向）でリードタブ５１の側面を覆う第１側面５５１と、第１側面５５１の両側から突出形成され、リードタブ５１の端面を経由して内面に結合される第２側面５５２および第３側面５５３とを含む。
【００８２】
つまり、リテーナ５５は、リードタブ５１に向かって凹状に形成され、リードタブ５１を収容する。第１側面５５１は、リードタブ５１の、第１連結部５１１における広い面積の側面および第２連結部５１２における狭い面積の端面を覆う。そして、第２側面５５２および第３側面５５３は、リードタブ５１の、第１連結部５１１における狭い面積の端面および第２連結部５１２における広い面積の側面を覆う。
【００８３】
挿入誘導部６３は、第１側面５５１の端部分から電極アセンブリ１０側に傾斜した面取りで形成される。したがって、ケース１５に電極アセンブリ１０を挿入する時、挿入誘導部６３によってリテーナ５５とケース１５の開口との間に間隔が設定される。この間隔は、ケース１５の開口への、電極アセンブリ１０の挿入を容易にする。
【００８４】
また、リテーナ５５に囲まれたリードタブ５１および電極アセンブリ１０は、ケース１５の開口と接触しない。したがって、組立時、電極アセンブリ１０の損傷が防止可能になる。
【００８５】
第１側面５５１は、内面に周囲の厚さよりも厚く形成される補強部５５６を備える。第１側面５５１が第１連結部５１１の側面および第２連結部５１２の端面を覆う時、補強部５５６は、第２連結部５１２の間に挿入され、結合突起５５４、５５５は、第１連結部５１１の内面に密着する。つまり、リードタブ５１とリテーナ５５は、強固な結合状態を維持する。
【００８６】
一方、第３実施形態のリテーナ５５は、間隔吸収部５５７をさらに含む。間隔吸収部５５７は、第１側面５５１の内側から第２側面５５２と第３側面５５３との間に突出し、第２側面５５２および第３側面５５３の互いに向き合う第２連結部５１２の内面を支持する。したがって、リテーナ５５とリードタブ５１との間の間隔が吸収され、リテーナ５５は、リードタブ５１に強固に結合される。
【００８７】
＜４．第４実施形態＞
図１０は、本発明の第４実施形態にかかる二次電池においてリードタブ５１とリテーナ５７の分解斜視図であり、図１１は、図１０のＸＩ−ＸＩ線に沿った断面図であり、図１２は、図１１のＸＩＩ−ＸＩＩ線に沿った断面図である。
【００８８】
図１０ないし図１２を参照すれば、間隔吸収部５７７は、間隔吸収部５７７の側面に突出する１つ以上の支持突起５７８をさらに含む。
【００８９】
したがって、本実施形態にかかる支持突起５７８は、一対の連結部材に向かって突出して一対の連結部材と接触することができる。
【００９０】
したがって、支持突起５７８は、第２側面５７２および第３側面５７３の内側で第２連結部５１２の一対の連結部材それぞれの内側面を支持する。
【００９１】
より詳細には、支持突起５７８は、間隔吸収部５７７から突出して、第１側面５７１の内側から第２側面５７２および第３側面５７３側に突出して第２連結部５１２の互いに向き合う内面を線接触で支持する。なお、図１０では、支持突起５７８は、２つに形成されているが、１つまたは３つ以上に形成されてもよい。
【００９２】
本実施形態にかかるリテーナ５７の結合突起５７４、５７５および補強部５７６それぞれは、本発明の第１実施形態にかかるリテーナ５３の結合突起５３４、５３５および補強部５３６それぞれと同一または類似していてよい。
【００９３】
一側の第２連結部５１２および第２側面５７２の間と、他の第２連結部５１２および第３側面５７３の間とに無地部１１ｂが位置する。無地部１１ｂは、第２連結部５１２に電気的に連結されている。
【００９４】
なお、図示していないが、負極１１および正極１２側において、リードタブ５１は、互いに異なる厚さに形成されるとよく、リードタブ５１の第２連結部５１２は、互いに異なる間隔を有することができる。この場合、支持突起５７８は、互いに異なる厚さのリードタブ５１および互いに異なる間隔の第２連結部５１２にリテーナ５７を適用できるようにする。
【００９５】
＜５．第５実施形態＞
図１３は、本発明の第５実施形態にかかる二次電池５００の断面図であり、図１４は、図１３のリードタブ５１とリテーナ５７’の分解斜視図であり、図１５は、図１４のＸＶ−ＸＶ線に沿った断面図である。
【００９６】
図１３ないし図１５を参照すれば、第５実施形態にかかる二次電池５００において、リテーナ５７’、５８は、第１実施形態ないし第４実施形態のリテーナ５３、５４、５５、５６、５７の各構成の特徴をすべて含む。
【００９７】
つまり、リテーナ５７’は、第１側面５７１、第２側面５７２および第３側面５７３と、結合突起５７４、５７５と、挿入誘導部６０と、間隔吸収部５７７と、支持突起５７８と、補強部５７６とを含む。リテーナ５７’は、第１実施形態ないし第４実施形態のリテーナ５３、５４、５５、５６、５７それぞれにおいて実現される作用効果を同時に実現することができる。
【００９８】
結合突起５７４、５７５は、第２側面５７２および第３側面５７３それぞれにおいて、第２側面５７２および第３側面５７３それぞれに向かって突出して形成されるとよい。
【００９９】
また、結合突起５７４、５７５は、リードタブ５１の溝に収容されるとよい。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０１】
１０：電極アセンブリ
１１：負極
１１ａ、１２ａ：コーティング部
１１ｂ、１２ｂ：無地部
１２：正極
１３：セパレータ
１５：ケース
２０：キャッププレート
２１、２２：電極端子
２１ａ、２２ａ：リベットターミナル
２１ｂ、２２ｂ：フランジ
２１ｃ、２２ｃ：プレートターミナル
２４：ベントホール
２５：ベントプレート
２５ａ：切欠
３１：絶縁部材
３６、３７：ガスケット
４６：トッププレート
５１、５２、７１：リードタブ
５３、５４、５５、５６、５７、５７’、５８：リテーナ
６０、６３：挿入誘導部
６１、６２：絶縁部材
７３、７４：貫通口
１００、３００、５００：二次電池
５１１、７１１：第１連結部
５１２、７１２：第２連結部
５３１、５５１、５７１：第１側面
５３２、５５２、５７２：第２側面
５３３、５５３、５７３：第３側面
５３４、５３５、５５４、５５５、５７４、５７５：結合突起
５３６、５５６、５７６：補強部
５５７、５７７：間隔吸収部
５７８：支持突起
Ｈ１、Ｈ２：端子ホール
Ｈ３、Ｈ４：貫通ホール
【図１】
2015005505.tif 000003
【図２】
2015005505.tif 000004
【図３】
2015005505.tif 000005
【図４】
2015005505.tif 000006
【図５】
2015005505.tif 000007
【図６】
2015005505.tif 000008
【図７】
2015005505.tif 000009
【図８】
2015005505.tif 000010
【図９】
2015005505.tif 000011
【図１０】
2015005505.tif 000012
【図１１】
2015005505.tif 000013
【図１２】
2015005505.tif 000014
【図１３】
2015005505.tif 000015
【図１４】
2015005505.tif 000016
【図１５】
2015005505.tif 000017